(57)【要約】【課題】  比較的細かな柄であってもシークインを使用するのに適した構造を有する新規な刺繍体の提供。新規な構造を有する立体刺繍で構成される刺繍体の提供。装飾性の高い刺繍体の提供。【解決手段】  所望の刺繍柄の輪郭を、被刺繍物（１）上にスペーサ（６）を介在させて縫い形成した立体的な輪郭刺繍部（２，４）で構成し、該輪郭刺繍（２，４）部が縁取っている該所望の刺繍柄の輪郭の内側の領域にシークイン群（３、５）を縫い付けてなる構造からなる刺繍体である。【選択図】  図２
2006241657.tif 000002
【特許請求の範囲】
【請求項１】
被刺繍物上にスペーサを介在させて形成された立体的な輪郭刺繍部であって、該輪郭刺繍部は所望の刺繍柄の輪郭を縁取っているものと、
前記輪郭刺繍部が縁取っている前記所望の刺繍柄の輪郭の内側の領域に縫い付けられたシークイン群と
で構成されることを特徴とする刺繍体。
【請求項２】
前記シークイン群は、前記スペーサの上から前記被刺繍物に縫い付けられてなることを特徴とする請求項１に記載の刺繍体。
【請求項３】
前記シークイン群は亀甲形状のシークインを含むことを特徴とする請求項１又は２に記載の刺繍体。
【請求項４】
前記亀甲形状のシークインがその凸面を上向きにして配置されていることを特徴とする請求項３に記載の刺繍体。
【請求項５】
前記亀甲形状のシークインがその凹面を上向きにして配置されていることを特徴とする請求項３に記載の刺繍体。
【請求項６】
被刺繍物にスペーサを載置する工程と、
前記スペーサの上から前記被刺繍物に所望の刺繍柄の輪郭に沿って該輪郭を縁取る刺繍縫いを行う工程と、
前記輪郭刺繍部で縁取られる前記所望の刺繍柄の前記輪郭内の領域に複数のシークインを縫い付ける工程と
を実行することを特徴とする刺繍方法。
【請求項７】
前記被刺繍物にスペーサを載置する工程では、広がりを持つプレート状のスペーサを前記被刺繍物上に載置し、
前記輪郭を縁取る刺繍縫いを行う工程の後に、前記輪郭の外側にある前記スペーサの部分を取り除く工程を実行することを特徴とする請求項６に記載の刺繍方法。
【請求項８】
請求項６又は７に記載の刺繍方法で製造された請求項１乃至５のいずれかに記載の刺繍体。
【発明の詳細な説明】
【技術分野】
【０００１】
本発明は、シークインを用いて立体刺繍を構成した新規な構造からなる刺繍体に関し、更には、その刺繍（製造）方法に関する。
【背景技術】
【０００２】
従来より、刺繍体（刺繍品）の装飾性を高めるために刺繍体にシークインを縫い付けることが行われている。シークインには種々の形状やサイズのものがあり、近年においては皿状で亀の甲羅のような形状をした所謂亀甲シークインと呼ばれるものを縫い着けることで、より装飾性を高めた刺繍体が知られている。一方、刺繍それ自体に関しても装飾性を高めるために立体的な刺繍（いわゆる立体刺繍）を施すことが行われており、下記の特許文献１にはその刺繍方法の一例が示してある。
【特許文献１】特開平7-316973号
【発明の開示】
【発明が解決しようとする課題】
【０００３】
従来は、シークイン縫いと立体刺繍縫いは組み合わされて行われることはなく、それぞれ性格の異なる別異の装飾縫いとして行われているだけであった。そのため、得られる刺繍体（刺繍品）の装飾性には限界があった。特に、シークイン縫いを立体刺繍として提供できれば、質感に富んだ刺繍体が得られるので、そのようなものが望まれるが、従来は、そのような刺繍体は存在していなかった。
【０００４】
本発明は上述の点に鑑みてなされたもので、シークインを用いて立体刺繍を構成した新規な構造からなる刺繍体を提供しようとするものである。また、従来知られた装飾性を高められた刺繍体よりもさらに装飾性の高い刺繍体を提供しようとするものであり、更には、そのような新規な構造を持ちかつ装飾性の高い刺繍体を提供しうる刺繍方法を提供しようとするものである。
【課題を解決するための手段】
【０００５】
本発明に係る刺繍体は、被刺繍物上にスペーサを介在させて形成された立体的な輪郭刺繍部であって、該輪郭刺繍部は所望の刺繍柄の輪郭を縁取っているものと、前記輪郭刺繍部が縁取っている前記所望の刺繍柄の輪郭の内側の領域に縫い付けられたシークイン群とで構成されることを特徴とする。
【０００６】
このように、所望の刺繍柄の輪郭を、被刺繍物上にスペーサを介在させて縫い形成した立体的な輪郭刺繍部で構成し、該輪郭刺繍部が縁取っている該所望の刺繍柄の輪郭の内側の領域にシークイン群を縫い付ける構造としたことにより、刺繍柄の輪郭の内側のシークイン群が輪郭を縁取る立体的な輪郭刺繍部によって囲まれる格好となり、非常に質感に富むものとなる。また、立体的な輪郭刺繍部とシークイン群の縫い付けとの組合せによって、装飾性の高い刺繍体を提供できる。
【０００７】
前記刺繍体において、前記シークイン群は、前記スペーサの上から前記被刺繍物に縫い付けられてなるのがよい。これにより、シークイン群が縫い付けられた領域も含めて立体構造をなすので、シークインを用いた新規な構造の立体刺繍を提供することができることとなり、かつ、このシークインの立体刺繍の輪郭が輪郭刺繍部によって縁取られた構造を有することで、装飾性の高い刺繍体を提供できることに加えて、立体的に盛り上がったシークイン縫いの部分をその周囲の輪郭刺繍部によって保護することもできる、という優れた効果を奏する。
【０００８】
本発明に係る刺繍方法は、被刺繍物にスペーサを載置する工程と、前記スペーサの上から前記被刺繍物に所望の刺繍柄の輪郭に沿って該輪郭を縁取る刺繍縫いを行う工程と、前記輪郭刺繍部で縁取られる前記所望の刺繍柄の前記輪郭内の領域に複数のシークインを縫い付ける工程とで構成される。これらの工程を組み合わせて縫製を行うことにより、上述の本発明に係る刺繍体を製造することができる。すなわち、スペーサの上から被刺繍物に所望の刺繍柄の輪郭に沿って該輪郭を縁取る刺繍縫いを行うことで、所望の刺繍柄の輪郭を縁取る立体的な輪郭刺繍部が提供される。そして、被刺繍物における前記所望の刺繍柄の前記輪郭内の領域に複数のシークインを縫い付けることで、該輪郭刺繍部が縁取っている該所望の刺繍柄の輪郭の内側の領域に縫い付けられたシークイン群が提供される。このように、立体刺繍とシークインの縫い付けとの組合せによって、装飾性の高い刺繍体を提供できることとなる。縫い付けるシークインのタイプは、任意のものを用いてよいが、例えば亀甲形状のシークイン（以下、「亀甲シークイン」という）を使用すると、その表面の凹凸によって、より装飾性を高めた刺繍体を提供することができる。
【発明を実施するための最良の形態】
【０００９】
以下、添付図面を参照して、本発明の実施の形態について詳細に説明しよう。
図１は本発明に係る刺繍体の一実施例を示す平面図、図２は図１に示す刺繍体の斜視図である。この実施例では、刺繍体（刺繍品）において、所望の刺繍柄として「ＡＢ」の２文字を模した立体刺繍が施されている。被刺繍物１は例えば布地からなっている。文字「Ａ」の刺繍柄からなる立体刺繍（以下、単に立体刺繍「Ａ」という）は、該刺繍柄の輪郭を縁取る輪郭刺繍部２と、該輪郭刺繍部２が縁取っている該刺繍柄の輪郭の内側の領域に縫い付けられたシークイン群３とで構成される。同様に、文字「Ｂ」の刺繍柄からなる立体刺繍（以下、単に立体刺繍「Ｂ」という）は、該刺繍柄の輪郭を縁取る輪郭刺繍部４と、該輪郭刺繍部４が縁取っている該刺繍柄の輪郭の内側の領域に縫い付けられたシークイン群５とで構成される。輪郭刺繍部２、４は、被刺繍物１上にスペーサ（詳しくは後述する）を介在させて、任意の色の刺繍糸で、例えば一般にサテンステッチ（所定幅の往復縫い）と呼ばれる縫い方で、該所望の刺繍柄の輪郭を縁取るように縫い上げられたものである。従って、輪郭刺繍部２、４は、スペーサの上から縫い上げられることにより、該刺繍柄の輪郭を縁取る立体的な輪郭刺繍を提供する。この実施例では、各シークイン群３、５は、複数の亀甲シークインを、各輪郭刺繍部２、４が縁取っている該刺繍柄の輪郭の内側の領域にそれぞれ縫い付けたものからなっている。また、図２の斜視図に示されるように、シークイン群３、５の縫い付け領域も被刺繍物１から盛り上がっている。これは、後述するように、シークイン群３、５がスペーサの上から被刺繍物１に縫い付けられていることを意味する。
【００１０】
本発明に係る刺繍体は、どのような構成の刺繍ミシンを用いて製造してもよい。一例として、図３に示すような、シークインを縫い付けることのできる周知のミシンヘッドを使用することができる。図３について簡単に説明すると、このミシンヘッドは、アーム１０とアーム１０の前面にスライド可能に設けられた支持ケース１１とを有しており、支持ケース１１には複数（９本）の縫い針１２が上下動可能に支持してある。周知のように、針板１３は針孔１３ａを有しており、この針孔１３ａに対応するように選択的に位置決めされる１つの縫い針１２がアーム１０内に設けた駆動機構の駆動によって上下動される。このように、支持ケース１１をスライドさせて任意の縫い針１２を針孔１３ａに対応するように選択的に位置させることで、任意の縫い針１２による刺繍が行えることとなる。シークイン縫いユニット１４は、支持ケース１１の左側面に固定してある。シークイン縫いユニット１４にはシークイン連結体を巻回したリール１５が装着可能となっており、そのシークイン連結体をシークイン縫いユニット１４のシークイン送り機構にて送り出し、支持ケース１１の最左側の縫い針１２にてシークインを縫い付けるようになっている。従って、シークインの縫い付けを行うときには支持ケース１１をスライドさせて最左側の縫い針１２が針板１３の針孔１３ａに対応するように選択的に位置させる。
【００１１】
図４には、シークイン縫いユニット１４のシークイン送り機構１６を拡大して示してあり、この送り機構１６によってリール１５からシークイン連結体１７を繰り出してその先端のシークインＳを所定の針落ち位置まで送り出すようになっている。先端のシークインＳを縫い付けるために縫い針１２が下降すると、それに連動してカッター１８が下向きに動き、縫い付けられたシークインＳをシークイン連結体１７から切断する。その後、次のシークインを縫うために、シークイン連結体１７の先端のシークインＳが所定の針落ち位置まで送り出される。このシークイン縫いユニット１４及びシークイン送り機構１６の詳細については、例えば特開2004-167097号公報で公知であるので、詳細説明は省略する。
【００１２】
次に、図１及び図２に示す刺繍体の形成方法（刺繍方法）の手順の一例を図５〜図８に従って説明する。
第１の工程では、図５に示すように、被刺繍物１の表面に、プレート状の（広がりを持つ）スペーサ６を載置する。その際、スペーサ６は、ずれないように接着剤などで簡易に固定してもよい。なお、スペーサ６としては、例えばウレタンのようなある程度の弾性又は柔軟性を持つものを用いるとよいが、適宜の厚みと適宜の柔軟性又は硬さを持つものであればどのようなものでもよい。
【００１３】
第２の工程では、図６に示すように、スペーサ６の上から被刺繍物１に所望の刺繍柄「Ａ」及び「Ｂ」の輪郭に沿って該輪郭を縁取る刺繍縫いを行い、輪郭刺繍部２、４を形成する。前述のように、この輪郭刺繍部２、４を形成する刺繍は、例えば一般にサテンステッチ（所定幅の往復縫い）と呼ばれる縫い方で縫う。なお、この輪郭刺繍縫いに際しては、支持ケース１１をスライドさせて、所望の糸がセットされた縫い針１２（最左側の縫い針１２以外）が針孔１３ａに対応するように選択的に位置させた状態で行う。
【００１４】
第３の工程では、図７に示すように、被刺繍物１における前記所望の刺繍柄「Ａ」及び「Ｂ」の各輪郭刺繍部２、４で囲まれた輪郭内の領域に複数の亀甲シークインＳを縫い付ける。このシークイン縫いに際しては、支持ケース１１をスライドさせて、シークイン縫い用の最左側の縫い針１２が針孔１３ａに対応するように位置させ、シークイン送り機構１６にてシークインＳを送り出して縫い付ける。この実施例では、亀甲シークインＳを縫い付ける輪郭内の領域にもスペーサ６が延設されているので、該亀甲シークインＳは、スペーサ６の上から被刺繍物１に縫い付けられる。従って、縫い付けられた複数の亀甲シークインＳからなるシークイン群３、５は、スペーサ６の上に形成されることになり、シークイン群３、５の縫い付け部分も含めて全体が立体的な立体刺繍「Ａ」「Ｂ」が提供される。
【００１５】
第４の工程では、図８に示すように、刺繍柄の輪郭外の（不要の）スペーサ６ａを取り除く。輪郭刺繍部２、４を刺繍縫いしたときに縫い針によって、スペーサ６には輪郭に沿うミシン目が形成されているので、輪郭外のスペーサ６ａを容易に取り除くことができる。なお、この第４の工程（輪郭外のスペーサ６ａの除去）は、上記第３の工程（刺繍柄の輪郭の内側領域におけるシークイン縫い付け）の前に行ってもよいのは勿論である。また、変形例として、上記第３の工程の後に上記第２の工程を行い、その後、第４の工程を行うようにしてもよい。
【００１６】
以上の工程の組み合わせによって立体刺繍「Ａ」、「Ｂ」を施した刺繍体が完成する。完成した刺繍体を斜視図にて示す図２から明らかなように、刺繍柄の輪郭に沿って立体的な輪郭刺繍部２、４の施された文字「Ａ」、「Ｂ」の輪郭内表面が、更に亀甲シークインＳにより醸し出される立体感あふれるシークイン縫いで装飾され、極めて装飾性の高い刺繍体が形成される。
【００１７】
図９及び図１０には、図１におけるＩ−Ｉ線断面が拡大して示してあり、７は刺繍用の上糸、８はシークイン縫い付け用の上糸、９は下糸である。図９は、亀甲シークインＳをその凸面を上向きにして縫い付ける例を示す。また、図１０は、亀甲シークインＳをその凹面を上向きにして縫い付ける例を示す。このように、シークイン群３、５として縫い付ける亀甲シークインＳの凹凸面を逆にすることにより、それぞれ趣の異なる装飾性が得られる。なお、刺繍柄の輪郭の内側領域に縫い付けられるシークイン群３、５として縫い付けるシークインは亀甲シークインに限らず、他の種類のもの、例えば平坦な（プレーン）シークインなど、を用いてでもよい。また、該シークイン群３、５において、すべて同じ種類のシークインとせずに、適宜その種類を異ならせてもよい。
【００１８】
本発明において、被刺繍物１は平面状のものに限定されるものでなく、帽子のような曲面状であってもよい。また、被刺繍物１の材質は布地に限らず、その他のものであってもよい。
【００１９】
図１１は、本発明に係る刺繍体の別の実施例として、帽子Ｃに「ＡＢ」の文字からなる刺繍柄を立体刺繍と亀甲シークインの縫い付けとの組み合わせによって形成した例を示す正面図である。帽子Ｃのように曲面状の被刺繍物の場合には想像線６'、６″で示すようにスペーサを適宜分割してもよい。このようにスペーサを分割することによって、スペーサを曲面状の被刺繍物に沿わせて大きく曲げる必要がないため、スペーサがずれないように被刺繍物（帽子Ｃ）に接着したときにその接着が剥がれる不具合が起こらない。なお、平面状の被刺繍物１の場合でもスペーサ６を適宜分割することによって、スペーサの使用量を少なくできる場合がある。
【００２０】
なお、本発明の変形例として、刺繍体において、スペーサ６が所望の刺繍柄の輪郭の内側の領域には広がっておらず、シークイン群３、５は、該所望の刺繍柄の輪郭の内側の領域において被刺繍物１上に直接的に縫い付けられてなるようにしてもよい。これによれば、立体的な輪郭刺繍部２、４からなる輪郭に囲まれた（その内側の）領域は凹みとなり、この凹みにおいてシークイン群３、５が縫い付けられる格好になるので、立体的な輪郭刺繍部２、４からなる輪郭の盛り上がりによってその内側のシークイン群３、５が保護されるというメリットがある。
【図面の簡単な説明】
【００２１】
【図１】本発明に係る刺繍体の一実施例を示す平面図。
【図２】図１に示す刺繍体の斜視図。
【図３】本発明に係る刺繍体の縫製に使用できる刺繍ミシンの一例として、シークイン縫いの可能な周知のミシンヘッドの一例を示す斜視図。
【図４】図３におけるシークイン縫いユニットのシークイン送り機構を拡大して示す斜視図。
【図５】図１、図２に示された刺繍体を形成するための本発明に係る刺繍方法の一実施例を示すもので、第１の工程を説明するための斜視図。
【図６】本発明に係る刺繍方法の一実施例における第２の工程を説明するための斜視図。
【図７】本発明に係る刺繍方法の一実施例における第３の工程を説明するための斜視図。
【図８】本発明に係る刺繍方法の一実施例における第４の工程を説明するための斜視図。
【図９】図１におけるＩ−Ｉ線断面図の一例であり、亀甲シークインをその凸面を上向きにして縫い付ける例を示す。
【図１０】図１におけるＩ−Ｉ線断面図の別の例であり、亀甲シークインをその凹面を上向きにして縫い付ける例を示す。
【図１１】本発明に係る刺繍体の別の実施例として、帽子を被刺繍物とした例を示す正面図。
【符号の説明】
【００２２】
１  被刺繍物
２、４  輪郭刺繍部
３、５  シークイン群
Ｓ  シークイン
６  スペーサ
１２  縫い針
１３ａ  針孔
１４  シークイン縫いユニット
１６  シークイン送り機構
１７  シークイン連結体
１８  カッター
【図１】
2006241657.tif 000003
【図２】
2006241657.tif 000004
【図３】
2006241657.tif 000005
【図４】
2006241657.tif 000006
【図５】
2006241657.tif 000007
【図６】
2006241657.tif 000008
【図７】
2006241657.tif 000009
【図８】
2006241657.tif 000010
【図９】
2006241657.tif 000011
【図１０】
2006241657.tif 000012
【図１１】
2006241657.tif 000013